(57)【要約】【課題】  低消費電力化が図れ、商品見本の交換作業が容易な商品見本および商品見本展示装置を提供する。【解決手段】  取付パネル１２上のメス型コネクタ１５Ａに商品見本１１のオス型コネクタ１５Ｂを差し込む。これにより、商品見本１１は、取付パネル１２に電気的および機械的に接続される。電源側からプリント基板２０に直流電圧が供給され、ＬＥＤランプ２１Ｒ，２１Ｇ，２１Ｂが点灯し、商品見本１１を内側から照明する。コネクタ１５Ａ、１５Ｂの着脱により商品見本本体１６とＬＥＤランプ２１Ｒ，２１Ｇ，２１Ｂを一体として交換できるので、商品見本の交換作業が容易となる。また、商品見本の照明用光源にＬＥＤランプを用いているので、低消費電力化と長寿命化が図れる。【選択図】    図２
2005100031.tif 000002
【特許請求の範囲】
【請求項１】
透光性を有する材料から形成された商品見本本体と、
前記商品見本本体に設けられたオス型あるいはメス型コネクタとを備えたことを特徴とする商品見本。
【請求項２】
前記商品見本本体は、前記商品見本本体を内側から照明するＬＥＤ素子を備え、
前記オス型あるいはメス型コネクタは、前記ＬＥＤ素子に電気的に接続されたことを特徴とする請求項１記載の商品見本。
【請求項３】
前記商品見本本体は、前記商品見本本体を内側から照明するＬＥＤ素子と前記ＬＥＤ素子を点灯制御する点灯制御回路とが搭載された回路基板を備え、
前記オス型あるいはメス型コネクタは、前記回路基板に電気的に接続されたことを特徴とする請求項１記載の商品見本。
【請求項４】
前記ＬＥＤ素子は、赤色光を発光する赤色ＬＥＤ素子と、緑色光を発光する緑色ＬＥＤ素子と、青色光を発光する青色ＬＥＤ素子とからなることを特徴とする請求項２または３記載の商品見本。
【請求項５】
自動販売機の展示スペースで複数の商品見本を取付パネル上に取り付けて展示する商品見本展示装置において、
前記複数の商品見本は、透光性を有する材料から形成された商品見本本体と、前記商品見本本体を内側から照明するＬＥＤ素子と、前記ＬＥＤ素子に電気的に接続されたオス型あるいはメス型コネクタとを備えた商品見本を含み、
前記取付パネルは、前記オス型あるいはメス型コネクタに電気的に接続される複数のメス型あるいはオス型コネクタを備えたことを特徴とする商品見本展示装置。
【請求項６】
前記複数の商品見本は、商品に外観を似せて形成された商品見本本体と、前記商品見本本体に設けられ、前記メス型あるいはオス型コネクタに機械的にのみ接続されるオス型あるいはメス型コネクタとを備えた商品見本を含むことを特徴とする請求項５記載の商品見本展示装置。
【発明の詳細な説明】
【技術分野】
【０００１】
本発明は、容器内に飲み物が封入された商品やたばこ等の商品に外観を似せて形成された商品見本、および商品を販売する自動販売機の展示スペースに商品見本を展示する商品見本展示明装置に関し、特に、低消費電力化が図れ、商品見本の交換作業が容易な商品見本および商品見本展示装置に関する。
【背景技術】
【０００２】
従来より自動販売機では、展示スペースに商品見本を展示し、蛍光灯により商品見本を照明して夜間でも商品見本が良く見えるようにしている。
【０００３】
しかし、近年の省エネルギー化の要請に鑑み、消費電力の大きい蛍光灯の代わりに消費電力の小さいＬＥＤランプを商品見本の照明用光源として用いた商品見本展示装置が提案されている（例えば、特許文献１参照。）
【０００４】
この特許文献１に記載された商品見本展示装置は、半透明の樹脂材からなり、円筒状に成形加工された商品見本を、その商品見本の下側あるいは内部等に配置されたＬＥＤランプによって商品見本を照明するものであり、商品見本とＬＥＤランプがそれぞれ別個に自動販売機の展示スペースに取り付けられている。商品見本の照明用光源としてＬＥＤランプを用いているので、低消費電力化と長寿命化が図れる。
【特許文献１】特開２００３−２２８７５６号公報（［００１６］、［００１９］、図１、図２、図３）
【発明の開示】
【発明が解決しようとする課題】
【０００５】
しかし、従来の商品見本展示装置によると、商品見本とＬＥＤランプはそれぞれ別個に自動販売機の展示スペースに取り付けられていたため、新商品に対応して商品見本を新たなものに替え、ＬＥＤランプの発光色も変更しようとした場合、商品見本とＬＥＤランプをそれぞれ交換しなければならず、交換作業が煩雑となっていた。
【０００６】
従って、本発明の目的は、低消費電力化が図れ、商品見本の交換作業が容易な商品見本および商品見本展示装置を提供することにある。
【課題を解決するための手段】
【０００７】
本発明は、上記目的を達成するため、透光性を有する材料から形成された商品見本本体と、前記商品見本本体に設けられたオス型あるいはメス型コネクタとを備えたことを特徴とする商品見本を提供する。
【０００８】
本発明は、上記目的を達成するため、自動販売機の展示スペースで複数の商品見本を取付パネル上に取り付けて展示する商品見本展示装置において、前記複数の商品見本は、透光性を有する材料から形成された商品見本本体と、前記商品見本本体を内側から照明するＬＥＤ素子と、前記ＬＥＤ素子に電気的に接続されたオス型あるいはメス型コネクタとを備えた商品見本を含み、前記取付パネルは、前記オス型あるいはメス型コネクタに電気的に接続される複数のメス型あるいはオス型コネクタを備えたことを特徴とする商品見本展示装置を提供する。
【発明の効果】
【０００９】
本発明の商品見本によると、商品見本に設けられたオス型あるいはメス型コネクタを相手のメス型あるいはオス型コネクタに対して着脱することにより、商品見本の取り付けおよび取り外しができるので、商品見本の交換作業が容易となる。
【００１０】
本発明の商品見本展示装置によると、コネクタの着脱により商品見本本体とＬＥＤ素子を一体として交換できるので、商品見本の交換作業が容易となる。また、商品見本の照明用光源にＬＥＤ素子を用いているので、低消費電力化と長寿命化が図れる。
【発明を実施するための最良の形態】
【００１１】
図１は、本発明の実施の形態に係る商品見本展示装置を適用した自動販売機を示す。この自動販売機１は、略箱型状の自動販売機本体１ａと、この自動販売機本体１ａの前面に形成された主扉２とを有する。この主扉２の上側には、内側に展示スペース３を有する透明パネル４が設けられ、主扉２の下側には、紙幣および硬貨を投入する現金投入部５、釣銭を返却する釣銭返却口６、商品を取り出すため商品販売口７、および広告等を表示する電照板８が設けられている。また、展示スペース３には、複数の商品見本１１を展示した商品見本展示装置１０が設けられ、透明パネル４の前面には、各商品見本１１に対応して複数の選択ボタン９が設けられている。
【００１２】
図２および図３は、商品見本展示装置１０の商品見本１１の分離状態を示す。この商品見本展示装置１０は、取付パネル１２を有し、この取付パネル１２の正面１２ａには、文字１２ａにより価格が表記された樹脂シートからなる価格用表示板１３と、「あたたかい」、「つめた〜い」の文字１４ａ，１４ｂによりホットあるいはコールドの商品種別が表記された樹脂シートからなるホット／コールド表示板１４が設けられ、取付パネル１２の上面１２ｂには、商品見本１１に設けたオス型コネクタ１５Ｂが装着される複数のメス型コネクタ１５Ａが設けられている。
【００１３】
商品見本１１には、図２に示すように、内部にＬＥＤランプ２１を有し、そのＬＥＤランプ２１の点灯状態が点滅、多色表示等のように変化する第１の商品見本１１Ａと、内部にＬＥＤランプ２１を有し、そのＬＥＤランプ２１を単に点灯するだけの第２の商品見本１１Ｂと、内部にＬＥＤランプ２１を有していない第３の商品見本１１Ｃとがあるが、第１乃至第３の商品見本１１Ａ、１１Ｂ、１１Ｃを総括して表現するときは商品見本１１を用いる。
【００１４】
第１の商品見本１１Ａは、アクリル等の透光性材料からなる、例えば、円筒状の商品見本本体１６と、商品見本本体１６の周囲に巻き付けられ、商品と同じ図柄や飲料名，メーカ名等の商品情報が印刷された透光性のプラスチックフィルムからなるラベル１７と、赤色ＬＥＤランプ２１Ｒ、緑色ＬＥＤランプ２１Ｇ、青色ＬＥＤランプ２１Ｂ、電流制限抵抗２２ａ，２２ｂ，２２ｃおよび点灯制御回路２３が搭載されたプリント基板２０と、商品見本本体１６の底面に設けられ、プリント基板２０に電気的に接続されたオス型コネクタ１５Ｂとを備える。
【００１５】
第２の商品見本１１Ｂは、第１の商品見本１１Ａと同様に、商品見本本体１６、ラベル１７、プリント基板２０、およびオス型コネクタ１５Ｂを備えるが、プリント基板２０には、点灯制御回路２３以外の赤色ＬＥＤランプ２１Ｒ、緑色ＬＥＤランプ２１Ｇ、青色ＬＥＤランプ２１Ｂおよび電流制限抵抗２２ａ，２２ｂ，２２ｃが搭載されている。
【００１６】
第３の商品見本１１Ｃは、第１の商品見本１１Ａと同様に、商品見本本体１６、ラベル１７、およびオス型コネクタ１５Ｂを備えるが、プリント基板２０を備えていない。
【００１７】
図４（ａ）は、第１の商品見本１１Ａのプリント基板２０上の回路図を示す。各ＬＥＤランプ２１Ｒ，２１Ｇ，２１Ｂは、それぞれ赤色光を発光する赤色ＬＥＤ素子２１０Ｒ、緑色光を発光する緑色ＬＥＤ素子２１０Ｇ、青色光を発光する青色ＬＥＤ素子２１０Ｂを備え、各ＬＥＤ素子２１０Ｒ，２１０Ｇ，２１０Ｂは、ＬＥＤ素子２１０Ｒ，２１０Ｇ，２１０Ｂの発光光に指向性を付与する透光性の樹脂封止部材によって封止されている。第１の商品見本１１Ａは、赤色ＬＥＤ素子２１０Ｒ、緑色ＬＥＤ素子２１０Ｇおよび青色ＬＥＤ素子２１０Ｂに電流制限抵抗２２ａ，２２ｂ，２２ｃを介して点灯制御回路２３を接続し、この点灯制御回路２３にオス型コネクタ１５Ｂを電気的に接続している。
【００１８】
図４（ｂ）は、第２の商品見本１１Ｂのプリント基板２０上の回路図を示す。第２の商品見本１１Ｂは、赤色ＬＥＤ素子２１０Ｒ、緑色ＬＥＤ素子２１０Ｇおよび青色ＬＥＤ素子２１０Ｂに電流制限抵抗２２ａ，２２ｂ，２２ｃを介してオス型コネクタ１５Ｂを電気的に接続している。
【００１９】
次に、この実施の形態に係る商品見本展示装置１０の作用を説明する。取付パネル１２上のそれぞれのメス型コネクタ１５Ａに、商品の種類や必要に応じて第１、第２あるいは第３の商品見本１１Ａ，１１Ｂ，１１Ｃのいずれかの商品見本１１のオス型コネクタ１５Ｂを差し込む。これにより、各商品見本１１は、取付パネル１２に電気的および機械的に接続され、取付パネル１２上に固定される。第１の商品見本１１Ａは、電源側から直流電圧が供給され、点灯制御回路２３は、予めメモリに格納された点灯プログラムに従い、赤色系、緑色系、青色系の各色のＬＥＤランプ２１Ｒ，２１Ｇ，２１Ｂを点滅、多色表示等の点灯制御を行う。ＬＥＤランプ２１Ｒ，２１Ｇ，２１Ｂの点灯により、第１の商品見本１１Ａの内部から商品見本本体１６およびラベル１７を明るく照らし出す。第２の商品見本１１Ｂは、点灯制御回路２３を有していないため、赤、緑、青の各色のＬＥＤランプ２１Ｒ，２１Ｇ，２１Ｂが一定の割合の輝度で点灯し、赤、緑、青の各色の光を合成した合成光を発光する。ＬＥＤランプ２１Ｒ，２１Ｇ，２１Ｂの点灯により、第２の商品見本１１Ｂの内部から商品見本本体１６およびラベル１７を明るく照らし出す。第３の商品見本１１Ｃは、内部にＬＥＤランプ２１を有していないため、商品見本本体１６およびラベル１７は外光によってのみ照らされる。
【００２０】
この実施の形態に係る商品見本展示装置１０によれば、以下の効果が得られる。
（イ）コネクタ１５Ａ，１５Ｂの着脱により商品見本本体１６とＬＥＤランプ２１Ｒ，２１Ｇ，２１Ｂを一体として交換できるので、商品見本の交換作業が容易となる。
（ロ）商品見本１１Ａ，１１Ｂの照明用光源にＬＥＤランプ２１Ｒ，２１Ｇ，２１Ｂを用いているので、低消費電力化と長寿命化が図れる。
（ハ）ＬＥＤランプ２１Ｒ，２１Ｇ，２１Ｂにより商品見本１１Ａ，１１Ｂを内側から照明しているので、商品見本の下部や周りに光源を取り付けたのと異なり、あたかも商品見本１１Ａ，１１Ｂそのものが光源となるように見える。このため、特に、夜間には商品見本１１Ａ，１１Ｂが明るく浮き上がるように見えるため、人目を引き易くなり、販売が促進される。
（ニ）商品見本１１と取付パネル１２にそれぞれコネクタ１５Ａ，１５Ｂを取り付けたので、簡単に商品見本１１の着脱を行うことができる。
（ホ）コネクタ１５Ａ，１５Ｂにより電気的のみならず機械的接続もできるので、別途固定部材を必要としない。また、内部にプリント基板２０を有する商品見本１１Ａ、１１Ｂと内部にプリント基板２０を有していない商品見本１１Ｃとを使い分けることで、電気的なＯＮ／ＯＦＦが可能になるので、ＯＮ／ＯＦＦスイッチを必要としない。従って、部品点数を減らすことができ、構成の簡素化を図ることができる。
（ヘ）売切れ等により点灯する必要のない商品見本は、内部にプリント基板２０を有していない商品見本１１Ｃを用いることにより、余分な消費電力を抑えることができる。
（ト）新発売の商品には、ＬＥＤランプ２１Ｒ，２１Ｇ，２１Ｂが点灯制御される第１の商品見本１１Ａを用い、他の商品には、ＬＥＤランプ２１Ｒ，２１Ｇ，２１Ｂが単に点灯されるだけの第２の商品見本１１Ｂを用いることにより、両者の差別化が図れ、新発売の商品の販売促進を図ることができる。
【００２１】
なお、上記実施の形態では、商品見本内のプリント基板に直流電源を供給するようにしたが、プリント基板に交流／直流変換回路を設け、このプリント基板に交流電源を供給するようにしてもよい。
【００２２】
また、上記実施の形態では、缶あるいは瓶の容器に飲み物を封入した商品に対応する商品見本について説明したが、紙パックや他の材料からなる容器内に飲み物が封入された商品やたばこ等の他の商品に対応する商品見本についても本発明を適用することができる。
【００２３】
また、ＬＥＤランプは、内部に赤色ＬＥＤ素子、緑色ＬＥＤ素子および青色ＬＥＤ素子等の異なる色を発光する複数のＬＥＤ素子を備えたものでもよい。これにより、小型化が図れる。例えば、ＬＥＤランプは、内部に赤色ＬＥＤ素子、緑色ＬＥＤ素子、青色ＬＥＤ素子の他に白色ＬＥＤ素子を備えたものでもよい。また、ＬＥＤランプは、白色ＬＥＤ素子のみを備えたものでもよい。
【００２４】
また、上記実施の形態では、ＬＥＤランプを商品見本の内部に設けたが、外部に設けてもよい。例えば、商品の表側の半分に対応する商品見本を作製し、その裏側にＬＥＤランプを設けてもよい。これにより、奥行き寸法を小さくすることができ、展示スペースの有効利用を図ることができる。
【００２５】
また、上記実施の形態では、商品見本１１側にオス型コネクタを設け、取付パネル１２側にメス型コネクタを設けたが、これとは逆に、商品見本１１側にメス型コネクタを設け、取付パネル１２側にオス型コネクタを設けてもよい。
【図面の簡単な説明】
【００２６】
【図１】本発明の実施の形態に係る商品見本展示装置を適用した自動販売機を示す斜視図である。
【図２】本発明の実施の形態に係る商品見本展示装置の商品見本の分離状態を示す正面図である。
【図３】本発明の実施の形態に係る商品見本展示装置の商品見本の分離状態を示す要部斜視図である。
【図４】本発明の実施の形態に係る商品見本展示装置に関し、（ａ）は第１の商品見本のプリント基板の回路図、（ｂ）は第２の商品見本のプリント基板の回路図である。
【符号の説明】
【００２７】
１  自動販売機
１ａ  自動販売機本体
２  主扉
３  展示スペース
４  透明パネル
５  現金投入部
６  釣銭返却口
７  商品販売口
８  電照板
９  選択ボタン
１０  商品見本展示装置
１１，１１Ａ，１１Ｂ，１１Ｃ  商品見本
１２  取付パネル
１２ａ  正面
１２ｂ  上面
１３  価格用表示板
１３ａ  文字
１４  ホット／コールド表示板
１４ａ  文字
１５Ａ  メス型コネクタ
１５Ｂ  オス型コネクタ
１６  商品見本本体
１７  ラベル
２０  プリント基板
２１  ＬＥＤランプ
２１Ｒ  赤色ＬＥＤランプ
２１Ｇ  緑色ＬＥＤランプ
２１Ｂ  青色ＬＥＤランプ
２２ａ，２２ｂ，２２ｃ  電流制限抵抗
２３  点灯制御回路
２１０Ｒ  赤色ＬＥＤ素子
２１０Ｇ  緑色ＬＥＤ素子
２１０Ｂ  青色ＬＥＤ素子
【図１】
2005100031.tif 000003
【図２】
2005100031.tif 000004
【図３】
2005100031.tif 000005
【図４】
2005100031.tif 000006